(57)【特許請求の範囲】
【請求項１】
ガラス繊維またはポリエステル、ポリプロピレンからなる不織布をプリーツ加工した濾材と、この濾材の表側と裏側のプリーツ部に設けられる複数のビード状に塗布されるホットメルト樹脂を備えるとともに、このホットメルト樹脂を前記濾材に塗布したのち折り畳んで連続的に形成される成形濾材を設け、この成形濾材を１台分等の所定寸法位置で切断するプリーツ部分および隣接する両側のプリーツ部分には前記ホットメルト樹脂を塗布しない構成としたフィルター。
【請求項２】
成形濾材を所定寸法位置で切断するプリーツ部分に隣接する両側のプリーツ部分の反切断側となる外面のみにホットメルト樹脂が形成されるように、前記ホットメルト樹脂のビード状の長さを設定した請求項１記載のフィルター。
【請求項３】
成形濾材の表面に不織布スクリームを設けた請求項１記載のフィルター。
【請求項４】
成形濾材の表面と裏面および長さ方向の端面を不織布スクリームで囲んだ請求項１記載のフィルター。
【請求項５】
ホットメルト樹脂で接着された成形濾材の側面に印字をした請求項１記載のフィルター。
【発明の詳細な説明】
【０００１】
【産業上の利用分野】
本発明は、プリーツ加工された濾材のプリーツ部にビード状のホットメルト樹脂を塗布し折畳み形成されるフィルターに関する。
【０００２】
【従来の技術】
近年、環境の良化を図るための空気清浄機器の普及に伴ない、空気清浄機器に使用されるフィルターとして圧力損失が少なく、捕集効率が高いジグザク状のフィルターにおいて、加工が容易で空気洩れのないフィルターが望まれてきている。
【０００３】
従来、この種のフィルターとして図１１〜図１４に示されるものが知られていた。以下、その構成について図１１〜図１４を参照しながら説明する。
【０００４】
図に示すように、ガラス繊維製や不織布製等の濾材１０１をプリーツ加工をしたのち、濾材１０１の表側のプリーツ部１０２Ａと裏側のプリーツ部１０２Ｂにホットメルト樹脂１０３Ａをビード状に複数塗布するとともに、側部側に設けられるホットメルト樹脂１０３Ｂは連続して塗布し、濾材１０１をジグザグ状に折畳み、ホットメルト樹脂１０３Ａおよび１０３Ｂで接着し、１台分となる所定寸法の位置の裏側のプリーツ部分１０２Ｂで、濾材１０１とホットメルト樹脂１０３Ａおよび１０３Ｂ部分を切断してフィルターを形成していた。
【０００５】
【発明が解決しようとする課題】
このような従来のフィルターでは、長手方向の端面１０４となる切断部分では端面１０４に複数のビード状に塗布されたホットメルト樹脂１０３Ａが部分的に突出し、濾材１０１とホットメルト樹脂１０３Ａとの凹凸により機器（図示せず）に組み込んだときにホットメルト樹脂１０３Ａ間の濾材１０１表面を伝って空気洩れを生じやすいという課題があり、空気洩れを防止することが要求されている。
【０００６】
また、濾材１０１とホットメルト樹脂１０３Ａとの凹凸による空気洩れを防止するために、枠１０５でフィルター側面を囲い、枠１０５とフィルター端面との間にホットメルト樹脂を充填する加工を行うことにより、空気洩れを防止する必要があるという課題があり、枠を用いず空気洩れを防止することが要求されている。
【０００７】
本発明は、このような従来の課題を解決するものであり、加工が容易で空気洩れを防止するための枠を省き、機器に直接セットができるフィルターを提供することを目的とする。
【０００８】
【課題を解決するための手段】
本発明のフィルターは上記目的を達成するために、ガラス繊維またはポリエステル、ポリプロピレンからなる不織布をプリーツ加工した濾材と、この濾材の表側と裏側のプリーツ部に設けられる複数のビード状に塗布されるホットメルト樹脂を備えるとともに、このホットメルト樹脂を前記濾材に塗布したのち折り畳んで連続的に形成される成形濾材を設け、この成形濾材を１台分等の所定寸法位置で切断するプリーツ部分および隣接する両側のプリーツ部分には前記ホットメルト樹脂を塗布しない構成としたものである。
【０００９】
本発明によれば、加工が容易で空気洩れを防止する枠の必要がなく、機器に直接セットができるフィルターを提供することができる。
【００１０】
【発明の実施の形態】
本発明は、ガラス繊維またはポリエステル、ポリプロピレンからなる不織布をプリーツ加工した濾材と、この濾材の表側と裏側のプリーツ部に設けられる複数のビード状に塗布されるホットメルト樹脂を備えるとともに、このホットメルト樹脂を前記濾材に塗布したのち折り畳んで連続的に形成される成形濾材を設け、この成形濾材を１台分等の所定寸法位置で切断するプリーツ部分および隣接する両側のプリーツ部分には前記ホットメルト樹脂を塗布しない構成としたことにより、プリーツ部分で切断された端面にはホットメルト樹脂の塗布がなく、濾材面のみとなり、端面に凹凸がなくなり、機器にセットしたときに機器に密着して空気洩れがなくなるとともに、空気洩れを防止するための枠が削減でき、さらに組立加工が容易にできるという作用を有する。
【００１１】
以下、本発明の実施例について図面を参照しながら説明する。
【００１２】
【実施例】
（実施例１）
図１〜図３に示すように、ガラス繊維またはポリエステル、ポリプロピレンからなる不織布をプリーツ加工した濾材１の表側のプリーツ部２と裏側のプリーツ部３に複数のビード状に塗布される複数列のホットメルト樹脂４および５と、濾材１の側部近傍に連続して塗布されるホットメルト樹脂６および７とを設けたのち、表側のプリーツ部２および裏側のプリーツ部３を介してジクザグ状に折畳み形成される成形濾材８の１台分の所定寸法位置（ｃ）で切断できるようにプリーツ部２または３の数量を読み取り制御して、裏側のプリーツ部３より切断する。
【００１３】
このとき、切断される裏側のプリーツ部３および隣接する両方の表側のプリーツ部２にはホットメルト樹脂４、５、６、７が塗布されないように、ホットメルト樹脂４、５、６、７を塗布するノズル（図示せず）からのホットメルト樹脂４、５、６、７の塗布を制御するようにして、濾材１に対するホットメルト樹脂４、５、６、７の塗布および折畳みをして成形濾材８を成形する加工を連続的に行えるようにする。
【００１４】
上記構成において、切断された部分の成形濾材８の端面９には、表側のプリーツ部２に塗布されるホットメルト樹脂４と裏側のプリーツ部３に塗布されるホットメルト樹脂５および側部近傍に連続して塗布されるホットメルト樹脂６および７は露出することがなくなり、端面９に凹凸が形成されることがない。したがって機器（図示せず）にセットしたときにフィルターの端面が機器のセット部分に密着することとなり空気洩れが防止される。
【００１５】
また、切断部分のプリーツ部３にはホットメルト樹脂５、７が塗布されていないので、切断が容易となり自動切断が可能となるとともに、後加工も容易となる。
【００１６】
また、枠を用いなくても空気洩れが防止されコスト低減を図ることができる。
（実施例２）
図４〜図６に示すように、成形濾材８Ａを所定寸法位置（ｃ）で切断するプリーツ部３に隣接する両側のプリーツ部２の反切断側となる外面のみにホットメルト樹脂４Ａおよび側部に設けられるホットメルト樹脂６Ａが形成されるようにホットメルト樹脂４Ａのビード状の長さおよびホットメルト樹脂６Ａを設定した構成とする。
【００１７】
上記構成において、切断された部分の成形濾材８Ａの端面９Ａは平坦となり、機器（図示せず）にセットのときにフィルターの端面９Ａが機器のセット部分に密着することとなり空気洩れが防止される。
【００１８】
また、切断するプリーツ部３に隣接する両側のプリーツ部２の反切断側となる外面のみにホットメルト樹脂４Ａおよび６Ａを形成したので、端面９Ａがはがれないように垂直方向に強固に接着されることとなり、取付用の枠を必要とすることなく、機器へセットすることができ、またセット時に端面９Ａがはがれたりすることがなくなり取扱性が向上する。
【００１９】
（実施例３）
図７に示すように、成形濾材８Ｂの表面１０に不織布スクリーム１１をホットメルト樹脂４Ｂに熱を加えて接着した構成とする。不織布スクリーム１１は、不織布を通気性のある薄膜シート状に加工したものである。
【００２０】
上記構成において、不織布スクリーム１１を成形濾材８Ｂの表面１０に設けることにより、成形濾材８Ｂを保護することができる。また、緑茶あるいは紅茶抽出成分から分離精製した抽出成分を純水に溶かした水溶液に不織布スクリーム１１を浸し、軽く脱水後乾燥して抗ウイルス剤を付加することにより、不織布スクリーム１１は抗ウイルス機能を有することができ、空気の浄化と抗ウイルス効果をもたらすフィルター構成を簡単に得ることができる。
【００２１】
（実施例４）
図８および図９に示すように、成形濾材８Ｃの表面１０全体だけでなく長さ方向の端面９Ｂから裏面１２の一部に到るまでを不織布スクリーム１１Ａで囲んだ構成とする。
【００２２】
上記構成において、不織布スクリーム１１Ａで成形濾材８Ｃを囲むことにより成形濾材８Ｃが表面１０、端面９Ｂおよび裏面１２の一部を保護することができる。
【００２３】
また、不織布スクリーム１１Ａに種々の抗菌剤を付加することにより抗菌効果を簡単に得ることができる。
【００２４】
さらに、端面９Ｂが不織布スクリーム１１Ａで保護されることにより、フィルターを機器にセットするときに端面９Ｂが破損しないように保護できるとともに、空気洩れを確実に防止することができる。
【００２５】
（実施例５）
図１０に示すように、側部近傍をホットメルト樹脂１３で固着した成形濾材８Ｄの側面１４に、フィルターを取扱うときに必要な形式やセット時の表と裏等の印字１５を施した構成とする。本実施例ではフィルターの取付方向を示す矢印と「おもて」の表示を印字している。
【００２６】
上記構成において、成形濾材８Ｄの側部近傍がホットメルト樹脂１３で接着されることにより剛性が向上するため成形濾材８Ｄに直接印字１５が可能となり、表示用のラベルや表示枠等を付加する必要がなく、フィルターの取扱時に印字１５を見ることによりフィルターの取扱いが容易となる。
【００２７】
【発明の効果】
以上の実施例から明らかなように、本発明によればガラス繊維またはポリエステル、ポリプロピレンからなる不織布をプリーツ加工した濾材と、この濾材の表側と裏側のプリーツ部に設けられる複数のビード状に塗布されるホットメルト樹脂を備えるとともに、このホットメルト樹脂を前記濾材に塗布したのち折り畳んで連続的に形成される成形濾材を設け、この成形濾材を１台分等の所定寸法位置で切断するプリーツ部分および隣接する両側のプリーツ部分には前記ホットメルト樹脂を塗布しない構成としたので、加工が容易で空気洩れを防止する枠の必要もなく、機器に直接セットができるフィルターを提供することができる。
【００２８】
また、成形濾材を所定寸法位置で切断するプリーツ部分に隣接する両側のプリーツ部分の反切断側となる外面のみにホットメルト樹脂が形成されるように、前記ホットメルト樹脂のビード状の長さを設定したので、切断されたときのフィルターの端面が平坦となり機器にセットしたときの空気洩れを防止できるとともに端面のはがれが防止でき取扱性が向上する。
【００２９】
また、成形濾材の表面に不織布スクリームを設けたので、成形濾材の表面の保護ができるとともに、不織布スクリームに抗ウイルス剤等の抗菌剤を付加することにより、簡単に空気の清浄効果と抗菌効果をもたらすことができる。
【００３０】
また、成形濾材の表面と裏面および長さ方向の端面を不織布スクリームで囲んだので、不織布スクリームに抗菌効果をもたらすことが容易で、フィルターを機器にセットするときに、フィルターの端面がはがれないように保護されるとともに空気洩れを防止できる。
【００３１】
また、ホットメルト樹脂で接着された成形濾材の側面に印字をしたので、印字をするためのラベルや枠の必要がなく、印字による見きわめによりフィルターの取扱性が良くなる。
【図面の簡単な説明】
【図１】（イ）本発明の実施例１のフィルターの切断前の状態を示す断面図
（ロ）同切断後の状態を示す断面図
【図２】同フィルターの成形濾材の構成を示す斜視図
【図３】同フィルターの展開時のホットメルト樹脂の塗布状態を示す正面図
【図４】（イ）本発明の実施例２のフィルターの切断前の状態を示す断面図
（ロ）同切断後の状態を示す断面図
【図５】同フィルターの成形濾材の構成を示す斜視図
【図６】同フィルターの展開時のホットメルト樹脂の塗布状態を示す正面図
【図７】（イ）本発明の実施例３のフィルターの成形濾材の構成を示す斜視図
（ロ）同断面図
【図８】（イ）本発明の実施例４のフィルターの成形濾材の構成を示す表面側斜視図
（ロ）同裏面側斜視図
【図９】同フィルターの成形濾材の構成を示す断面図
【図１０】本発明の実施例５のフィルターの成形濾材の斜視図
【図１１】（イ）従来のフィルターの切断前の状態を示す断面図
（ロ）同切断後の状態を示す断面図
【図１２】同フィルターの斜視図
【図１３】同フィルターの展開時のホットメルト樹脂の塗布状態を示す正面図
【図１４】同フィルターを枠に収納した状態を示す一部破断の斜視図
【符号の説明】
１      濾材
２      表側のプリーツ部
３      裏側のプリーツ部
４      ホットメルト樹脂
４Ａ    ホットメルト樹脂
５      ホットメルト樹脂
６      ホットメルト樹脂
６Ａ    ホットメルト樹脂
７      ホットメルト樹脂
８      成形濾材
８Ａ    成形濾材
８Ｂ    成形濾材
８Ｃ    成形濾材
８Ｄ    成形濾材
９      端面
９Ｂ    端面
１０    表面
１１    不織布スクリーム
１１Ａ  不織布スクリーム
１２    裏面
１３    ホットメルト樹脂
１４    側面
１５    印字
【図１】
0004033973.tif 000002
【図２】
0004033973.tif 000003
【図３】
0004033973.tif 000004
【図４】
0004033973.tif 000005
【図５】
0004033973.tif 000006
【図６】
0004033973.tif 000007
【図７】
0004033973.tif 000008
【図８】
0004033973.tif 000009
【図９】
0004033973.tif 000010
【図１０】
0004033973.tif 000011
【図１１】
0004033973.tif 000012
【図１２】
0004033973.tif 000013
【図１３】
0004033973.tif 000014
【図１４】
0004033973.tif 000015